(57)【特許請求の範囲】
【請求項１】
レンズ部と、
前記レンズ部によって結像された光を電気信号に変換するための撮像部と、
前記レンズ部および前記撮像部を収容し、前記レンズ部の光軸方向視において、略矩形状である筐体と、
前記レンズ部を挟んで前記筐体の角部に対応する位置に、それぞれ配置される１対の第１発光素子と、
前記第１発光素子よりも配光範囲が狭い１対の第２発光素子であって、前記１対の第１発光素子が配置された角部と異なる角部に対応する位置に、前記レンズ部を挟んでそれぞれ配置される１対の第２発光素子と、を備える、撮像装置。
【請求項２】
前記第１の発光素子および前記第２の発光素子への電力を供給するように制御する制御部を、さらに備え、
前記制御部は、前記第１の発光素子および前記第２の発光素子のいずれか一方が点灯するように、排他的に電力を供給するように制御する、請求項１に記載の撮像装置。
【請求項３】
前記制御部は、
被写体の光量を判定する判定部と、
前記判定部によって判定された光量が所定値以下の場合、画角を取得する取得部と、を有し、
前記制御部は、
前記取得部によって取得された画角が所定の画角より大きい場合、前記第１の発光素子へ電力を供給し、前記取得部によって取得された所定の画角以下の場合、前記第２の発光素子への電力を供給するように制御する、請求項２に記載の撮像装置。
【請求項４】
レンズ部と、
第１の発光素子と、
前記第１の発光素子と同時に点灯するように電力が供給される第２の発光素子と、
前記第１の発光素子および前記第２の発光素子と同時に点灯するように電力が供給される第３の発光素子と、
前記第１の発光素子、前記第２の発光素子および前記第３の発光素子とは異なるタイミングで点灯するように電力が供給される第４の発光素子と、
前記第１の発光素子、前記第２の発光素子、前記第３の発光素子および前記第４の発光素子とは異なるタイミングで点灯するように電力が供給される第５の発光素子と、を備え、
前記第１の発光素子、前記第２の発光素子および前記第３の発光素子は、前記レンズ部の光軸中心を中心に回転対称となる位置に略等間隔に配置され、
前記第４の発光素子は、前記第１の発光素子および前記第２の発光素子の間に配置され、
前記第５の発光素子は、前記第２の発光素子および前記第３の発光素子の間に配置される、撮像装置。
【請求項５】
前記第１の発光素子、前記第２の発光素子、前記第３の発光素子、前記第４の発光素子および前記第５の発光素子への電力を供給するように制御する制御部を、さらに備え、
前記制御部は、
被写体の光量を判定する判定部と、
前記判定部によって判定された光量が所定値以下の場合、画角を取得する取得部と、を有し、
前記制御部は、
前記取得部によって取得された画角が所定の画角より大きい場合、前記第１の発光素子、前記第２の発光素子および前記第３の発光素子へ電力を供給し、前記取得部によって取得された所定の画角以下の場合、前記第４の発光素子または前記第５の発光素子への電力を供給するように制御する、請求項４に記載の撮像装置。
【請求項６】
レンズ部と、
前記レンズ部によって結像された光を電気信号に変換するための撮像部と、
前記レンズ部および前記撮像部を収容し、前記レンズ部の光軸方向視において、略矩形状である筐体と、
前記レンズ部を挟んで前記筐体の角部に対応する位置に、それぞれ配置される１対の第１発光素子と、
前記１対の第１発光素子が配置された角部と異なる角部に対応する位置に、前記レンズ部を挟んでそれぞれ配置される第２の発光素子および第３の発光素子と、
前記第１の発光素子、前記第２の発光素子および前記第３の発光素子への電力を供給するように制御する制御部と、備え、
前記制御部は、前記第１の発光素子、前記第２の発光素子および前記第３の発光素子のいずれかが点灯するように、排他的に電力を供給するように制御する、撮像装置。
【請求項７】
前記制御部は、
被写体の光量を判定する判定部と、
前記判定部によって判定された光量が所定値以下の場合、画角を取得する取得部と、を有し、
前記制御部は、
前記取得部によって取得された画角が所定の画角より大きい場合、前記第１の発光素子へ電力を供給し、前記取得部によって取得された所定の画角以下の場合、前記第２の発光素子または前記第３の発光素子への電力を供給するように制御する、請求項６に記載の撮像装置。
【請求項８】
前記１対の発光素子のうちの一方および前記第２の発光素子が配置される第１の基板と、
前記１対の発光素子のうちの他方および前記第３の発光素子が配置される第２の基板と、
をさらに、備える、請求項６または７に記載の撮像装置。
【発明の詳細な説明】
【技術分野】
【０００１】
本発明は撮像装置に関し、特に発光部を有する撮像装置に関するものである。
【背景技術】
【０００２】
従来、照明としてＬＥＤを用いた撮像装置が知られている。この撮像装置において、照射光量を増加させるために電流量を増加させた場合に、ＬＥＤ自体の発熱によって温度が上昇し、結果的に光量を減少させてしまうことがあった。
【０００３】
この対応として、特許文献１では放熱のためのヒートシンクを搭載したリングライトが開示されている。また、特許文献２では複数の光源を可撓性の有する基板に搭載し、放熱性部材として放熱性の高い金属を用いて作成した台座に接続する撮像装置が開示されている。
【先行技術文献】
【特許文献】
【０００４】
【特許文献１】特開２００７−２１２７６４号公報
【特許文献２】特開２０１３−１５６３４７号公報
【発明の概要】
【発明が解決しようとする課題】
【０００５】
しかしながら、前述の特許文献に開示された従来技術では、光源を搭載する基板とは別に放熱性の高い金属などの部材、もしくは特殊な放熱機構が必要となる。そのため、撮像装置のコストの増加や小型化の妨げとなる場合があった。
【０００６】
そこで、本発明の目的は、同時に点灯する発光部をレンズ部光軸中心に対して適切に配置し、放熱性の向上を可能にした撮像装置を提供することである。
【課題を解決するための手段】
【０００７】
上記目的を達成するために、本発明は、被写体を撮像するためのレンズ部と、前記レンズ部によって結像される光を画像信号に変換するための撮像部と、前記レンズ部の光軸に対して垂直な面内に前記被写体を照射するための発光素子を設置するための素子設置部と、前記素子設置部に設置される第一の発光素子と、前記素子設置部に設置され、かつ前記第一の発光素子よりも配光範囲が狭い複数の第二の発光素子と、前記第一の発光素子と前記複数の第二の発光素子とに電力を供給するための電源部と、前記電源部の電力供給を制御する制御部と、を備え、前記制御手段は前記第一の発光素子及び前記複数の第二の発光素子のいずれかを点灯するように電力供給を制御し、前記素子設置部は前記レンズ部の光軸から距離が相対的に長い第一の設置位置と、前記レンズ部の光軸から距離が相対的に短い第二の設置位置とを含み、前記複数の第二の発光素子の少なくとも一つは、前記第二の設置位置に設置されていることを特徴とする。
【発明の効果】
【０００８】
本発明によれば、同時に点灯する発光部をレンズ部光軸中心に対して適切に配置し、放熱性の向上を可能にした撮像装置を提供することができる。
【図面の簡単な説明】
【０００９】
【図１】本発明に係る撮像システムの構成図である。
【図２】実施例１における撮像装置の全体構成を示す図である。
【図３】実施例１における発光部の配置構成を示す図である。
【図４】実施例１における発光シーケンスを示すフローチャートである。
【図５】実施例１における発光部の配光特性を示す図である。
【図６】実施例２における発光部の配置構成を示す図である。
【図７】実施例２における発光部の照射範囲を示す図である。
【図８】実施例３における発光部の配置構成を示す図である。
【発明を実施するための形態】
【００１０】
以下に、本発明の好ましい実施の形態を、添付の図面に基づいて詳細に説明する。なお、以下の実施形態において示す構成は一例に過ぎず、本発明は、図示された構成に限定されるものではない。
【００１１】
（実施例１）
図１は、撮像装置１０００を含むシステム構成図である。２０００は、本発明における外部装置を示すクライアント装置である。撮像装置１０００とクライアント装置２０００は、ネットワーク３０００を介して相互に通信可能な状態に接続されている。クライアント装置２０００は、撮像装置１０００に対して、各種制御コマンドを送信する。本制御コマンドには、例えば、撮像の開始・終了、撮像画像の配信開始・停止、カメラ制御等を行うためのコマンドが含まれる。また、各制御コマンドを受信した撮像装置１０００は、受信した制御コマンドに対するレスポンスをクライアント装置２０００に送信する。
【００１２】
なお、本実施形態における撮像装置１０００は、ネットワーク経由でクライアント装置２０００と通信する通信装置の一例であり、例えば所定の被写体の画像を撮像する監視カメラである。より詳細には、監視に用いられるネットワークカメラであるものとする。また、本実施形態におけるクライアント装置２０００は、ＰＣ等の外部装置の一例である。又、本実施形態における撮像装置１０００と外部装置２０００からなる監視システムは、撮像システムに相当する。
【００１３】
また、ネットワーク３０００は、例えばＥｔｈｅｒｎｅｔ（登録商標）等の通信規格を満足する複数のルータ、スイッチ、ケーブル等から構成されるものとする。しかしながら、本実施形態においては、撮像装置１０００とクライアント装置２０００との間の通信を行うことができるものであれば、その通信規格、規模、構成を問わない。
【００１４】
例えば、ネットワーク３０００は、インターネットや有線ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）等により構成されていても良い。なお、本実施形態における撮像装置１０００は、例えば、ＰｏＥ（Ｐｏｗｅｒ  Ｏｖｅｒ  Ｅｔｈｅｒｎｅｔ（登録商標））に対応していても良く、ＬＡＮケーブルを介して電力を供給されても良い。
【００１５】
以下、図２を参照して、本発明の第１の実施例による、同時に点灯する発光部が２つの場合の撮像装置の全体構成について説明する。本実施例における撮像装置１０００は、発光部１００乃至１０３、レンズ部１２０、撮像部１３０、電源部１４０、画像処理部１５０、制御演算部１６０、Ｉ／Ｆ１７０によって構成される。
【００１６】
撮像装置１０００によって撮像される光景（被写体像）は、レンズ部１２０によって撮像部１３０に結像される。レンズ部１２０には、不図示のズーム機構、絞り機構、フォーカス機構、手ブレ補正機構等を含む。各機構は後述する制御演算部１６０からの制御によって駆動制御される。例えば、レンズ部１２０に含まれるズーム機構は、制御演算部１６０からズーム位置変更に関する制御信号を受け取り、指定されたズーム位置（焦点距離）になるように動作する。
【００１７】
なお、レンズ部１２０に用いられるレンズは、ズーム機構を備えず、単焦点型レンズであってもよい。さらに、レンズ部１２０のズーム機構はユーザーによる手動で動作するようにしてもよい。この場合、レンズ部１２０はズーム位置を制御演算部１６０に送信する。また、撮像部の撮像画角を変更するためのパン機構またはチルト機構を設けてもよい。
【００１８】
撮像部１３０は、撮像素子、Ａ／Ｄ変換回路、ゲイン回路、欠陥補正処理等の画像処理回路等を有している。撮像素子は、レンズ部１２０によって結像された光に応じたアナログ信号を出力するＣＣＤやＣＭＯＳセンサである。そして、撮像素子から出力されるアナログ信号はＡ／Ｄ変換回路によってデジタル信号に変換され、画像信号として画像処理部１５０へ送られる。
【００１９】
画像処理部１５０は、撮像部１３０から受け取った画像信号に対して所定の画像処理を行い、画像ファイルを出力する。例えば、現像処理、フィルタ処理、センサ補正、ノイズ除去等を行う。ここでは、画像処理の詳細についての説明は割愛する。なお、現像処理には、デモザイキング処理、色調整処理、Ｈ．２６４等の所定の符号化方式で圧縮符号化する処理等が含まれる。
【００２０】
また、画像処理部１５０は、画像信号から画像調整に関する評価を行う。より詳細には、レンズ部１２０の絞り調整、撮像部１３０の露光時間やＡ／Ｄ変換の調整、発光部１００乃至１０３の光量調整に関わる評価を行う。画像処理部１５０は、その評価結果を評価値として制御演算部１６０に送信する。制御演算部１６０は、画像処理部１５０から受け取った評価値に応じて制御信号を生成し、レンズ部１２０、撮像部１３０、電源部１４０に送信する。これら一連の動作を繰り返すことにより、レンズ部１２０、撮像部１３０、電源部１４０のパラメータを、最適な画像を取得できるように調整することが可能となる。
【００２１】
制御演算部１６０は、撮像装置１０００を制御するＣＰＵを含み、レンズ部１２０、撮像部１３０、電源部１４０等の各要素の制御と、それぞれに送信する制御信号の生成を行う。そして、制御演算部１６０は不図示のメモリーを含む。本メモリーには画像処理部１５０で生成された画像ファイルや、後述する制御演算部１６０が実行するプログラム格納領域、プログラム実行中のワーク領域等、様々なデータの格納領域として使用される。また、制御演算部１６０は、ユーザーからの指示を、後述するＩ／Ｆ１７０経由で受け付け可能である。
【００２２】
Ｉ／Ｆ１７０は、ネットワーク３０００に接続するインターフェースを含み、ネットワーク３０００経由で、外部装置２０００におけるユーザーからの指示を含む制御コマンドを受けつける。受け付けた各制御コマンドは、適切なパケット処理が行われた後、制御演算部１６０によって制御コマンドの内容を判定される。そして、制御演算部１６０は、必要に応じて制御コマンドの内容に基づいて、撮像装置１０００の各構成要素に対して制御やパラメータの設定等を行う。また、Ｉ／Ｆ１７０は画像処理部１５０から出力される画像ファイルをネットワーク３０００に出力する。
【００２３】
発光部１００乃至１０３は、電源部１４０から供給される電流に応じて、光を照射する発光素子を含む。発光部１００乃至１０３はそれぞれ配光特性を有しているが、それぞれの配光特性において２つ以上が同じであるか、または異なっていてもよい。また、発光部１００乃至１０３に用いられる光源の波長は問わない。さらに、光源の種類、例えばＨＩＤランプ、ＬＥＤ、レーザー等も問わない。本実施例においては、発光部１００と１０１、発光部１０２と１０３が同時に点灯する発光部に相当する。
【００２４】
電源部１４０は、制御演算部１６０から受け取った制御信号に応じて、発光部１００乃至１０３に供給する電流を調整する。ただし、発光部１００と１０１の組み合わせ、もしくは、発光部１０２と１０３の組み合わせについては、同じ電流が供給されるように、制御演算部１６０が制御信号を生成するものとする。もしくは、発光部１００と１０１、発光部１０２と１０３を直列に接続して、電流供給路を共通化することでも実現可能である。電源部１４０は、定電流を生成する専用電源ＩＣまたはディスクリート回路のいずれで構成されてもよい。
【００２５】
本実施例における、発光部１００乃至１０３の配置構成を図３に示す。図３は、撮像装置１０００をレンズ部１２０側から見たとき（いいかえれば、被写体側からみたとき）のレンズ部１２０と発光部１００乃至１０３の配置を示している。発光部設置可能領域１０４は、発光部１００乃至１０３を設置することが可能な領域であり、素子設置部に相当する。例えば、基板やダイキャストなどで構成されている。より詳細には、レンズ部１２０の光軸の周辺に配置された基板やダイキャスト等であり、光軸と垂直な面を有する。そして、光軸と垂直な面内に同時に点灯する２つの発光部１００と１０１、発光部１０２と１０３が設置される。それぞれの発光部は、発光部設置可能領域１０４の範囲内でレンズ部１２０を挟んで対角方向である対称位置に配置される。したがって、発光部設置可能領域１０４に発光部を配置する場合に、図３におけるレンズ部１２０の上部や横部に配置するよりも、斜め部に配置することで相対的に各発光部の設置位置間の距離を確保が可能となる。これは、本発明の撮像装置１の筐体（少なくともレンズ部１２０側から見た時）が略矩形であるために、レンズ部１２０における斜め部は角部に相当するためである。なお、筐体が略矩形ではなく楕円形状であった場合に、長軸方向に発光部を配置することで、本実施例と同様の効果を得ることができる。
【００２６】
また、前述したように、本実施例において制御演算部１６０は、発光部１００と１０１の組み合わせ、もしくは、発光部１０２と１０３の組み合わせについては、どちらかの組み合わせのみ点灯する制御を行う。そのため、図３の配置構成の場合、発光部１００乃至１０３は、必ずレンズ部１２０を挟んで対角に配置された発光部の組み合わせで点灯を行う。なお、対角に配置されるとは、図３の破線で示すように、任意の発光部とレンズ１２０の光軸とを結んだ線上に他の発光部を配置することに相当する。
【００２７】
本実施例における撮像装置１０００の発光シーケンスの処理の一例を図４に示す。本処理は制御演算部１６０が行う。なお、本処理の開始時において発光部１００乃至１０３は消灯している場合を想定する。
【００２８】
ステップＳ２００において、制御演算部１６０は、撮像する被写体の光量を取得する。具体的には、撮像部１３０が出力するその時点で撮像していた画像信号を、画像処理部１５０へ送信する。画像信号を受け取った画像処理部１５０は、その画像信号に対して画像処理を行い、撮像画像内の光量を算出する。そして、制御演算部１６０は画像処理部１５０より算出した光量を評価値として取得する。そして、処理をステップＳ２１０へ移行する。
【００２９】
ステップＳ２１０において、制御演算部１６０は、ステップＳ２００で取得した評価値に対して、光量の過不足の判断を行う。具体的には、制御演算部１６０は、画像処理部１５０から受け取った評価値を、光量の過不足を判断する所定の閾値と比較する。この閾値は、撮像を行う上で必要な最低光量を表しており、あらかじめ制御演算部１６０内のメモリーに保持されている。制御演算部１６０は、評価値が閾値以上の場合、光量は十分であると判断し、処理をステップＳ２００へ戻す。そして、発光部オフのまま撮像を続行する。なお、光量が想定上に多いい場合は、絞りやシャッタースピード等を変更して、入射する光を減光することも可能である。一方で、評価値が閾値未満の場合、光量が不足していると判断し、処理をステップＳ２２０へ移行する。なお、所定の閾値は撮像装置１０００の状態に応じて切換えるようにしてもよい。一例として、レンズ部１２０のズーム機構によるズーム位置に応じて切換えるようにしてもよい。
【００３０】
ステップＳ２２０において、制御演算部１６０は、レンズ部１２０から撮像画角に関する情報を取得し、点灯する発光部の組み合わせの選択を行う。具体的には、制御演算部１６０は、レンズ部１２０から現在のズーム情報を取得し、その情報から撮像画角を算出する。さらに、制御演算部１６０は、その算出した撮像画角に対して適した配光特性を有している発光部を選択する。すなわち、発光部１００と１０１の組み合わせか、発光部１０２と１０３の組み合わせのどちらか１組の発光部を選択する。前述したように、同時に点灯する発光部の組み合わせは１組のみなので、この後の処理は、ステップＳ２２０で選択した発光部の組み合わせに対してのみ行う。そして、処理をステップＳ２３０へ移行する。
【００３１】
ステップＳ２３０において、制御演算部１６０は、選択した発光部の組み合わせに供給する電流を設定するための処理を行う。具体的には、制御演算部１６０は、ステップＳ２００で算出した光量からステップＳ２２０で選択した発光部に対して流す電流値を算出する。そして、どちらの発光部の組み合わせを点灯させるかという情報と共に、算出した電流値を電源部１４０に対して送信する。電源部１４０は、その情報に基づいて、選択された発光部へ指定の電流の供給を開始する。そして、処理をステップＳ２４０へ移行する。
【００３２】
ステップＳ２４０において、制御演算部１６０は、設定した電流値が適しているかを判断する。具体的には、ステップＳ２００及びステップＳ２１０と同様の処理を用いて判断する。上記ステップと異なる点としてはステップＳ２４０において算出される評価値は、最適な光量に対して一定の上下に範囲内で発光部が照射しているかを表す値である。評価値が閾値以上の場合は、最適な光量が発光部から照射されている、つまり設定した電流値が最適であると判断し、ステップＳ２６０の処理へ移行する。評価値が閾値以下の場合は、光量が多過ぎるもしくは少な過ぎると判断し、ステップＳ２５０の処理へ移行する。
【００３３】
ステップＳ２５０において、制御演算部１６０は、各発光部の点灯が必要かどうかを判断する。具体的には、電源部１４０に設定されている電流値が一定値以上の場合は、発光部の点灯が必要であると判断し、再度電流値の設定を行うためにステップＳ２３０に処理を戻す。電流値が一定値未満の場合は、発光部を点灯しなくても十分な光量であると判断し、制御演算部１６０は電源部１４０に電流の供給を止めるように情報を送信し、発光部をオフし、処理を終了させる。
【００３４】
一方で、ステップＳ２６０において、制御演算部１６０は、ステップＳ２４０までに設定した条件で発光部を点灯させる処理である。そして、処理をステップＳ２７０へ移行する。
【００３５】
ステップＳ２７０において、制御演算部１６０は、ステップＳ２６０で取得したズーム情報から、撮像画角の変更があったかを判断する。変更があった場合はステップＳ２２０に処理を戻す。変更がなかった場合は、ステップＳ２４０に処理を戻す。そして、以降、撮像条件に変更がない場合、ステップＳ２６０、ステップＳ２７０、ステップＳ２４０とループ処理で繰り返し行われる。
【００３６】
なお、ステップＳ２７０において、ズーム情報から撮像画角の変化を判断したが、パン機構又はチルト機構の動作情報から判断してもよい。また、画像処理部１５０において、撮像画像内の光量や色情報等からシーンを判別する判別部を設け、その判別部の判別結果に応じて撮像画角が変化したと判断してもよい。
【００３７】
なお、本実施例において、各発光部の組を排他で発光するように制御する例を示したが、発光する組を切換える場合に、一次的に複数の組を同時に点灯するようにしてもよい。この場合、一方の組の発光量を減らすにつれて、もう一方の組の発光量を増加するようにすることが好ましい。
【００３８】
図５は発光部１００及び発光部１０２の配光特性を示した図である。図５（ａ）で示す通り、発光部１００の配光範囲５００に対して発光部１０２の配光範囲５０２は狭く、そして照射光の到達距離は長くなっている。なお、発光部１００と発光部１０１、及び発光部１０２と発光部１０３の配光特性は同様である。この場合、レンズ部１２０のズーム位置が広角側に近い場合に発光部１００及び発光部１０１を点灯することが望ましい。また、レンズ部１２０のズーム位置が望遠側に近い場合は発光部１０２及び発光部１０３を点灯することが望ましい。更に、レンズ部１２０のズーム倍率が増加するにつれて、撮像対象となる被写体は遠方に位置することが想定される。この場合、広い範囲に照射する必要は必ずしもなく、発光部からの光が被写体に到達するためにも、電源部１４０から供給する電力を上昇させる必要がある。このように電力供給量が増加する場合においても本実施例の配置構成をとることによって、発光部間の距離を確保でき、放熱性の向上を可能とする。
【００３９】
加えて、図５（ｂ）で示す通り、発光部は部品自体のばらつきや部品の取り付け状態によって、配光方向にずれが生じる場合が有る。発光部１００及び発光部１０２の配光方向のずれが同様であったとしても、配光部１０２の照射範囲の重なり５１２は配光部１００の照射範囲の重なり５１０と比較して少なくなってしまう。すなわち、発光部１００以上に発光部１０２の配光方向とレンズ部１２０の撮像方向は高い精度で一致することが求められる。このような場合においても、本実施例の配置構成のように発光部設置可能領域１０４の範囲内でレンズ部１２０を挟んで対角に配置することで、レンズ部１２０の撮像方向と複数の発光部の配光方向とをよく一致させることができる。
【００４０】
なお、本実施例においては、配光特性を基に発光部を１組としたが、配光以外にも発光光の波長や、各発光部の発光頻度や、各発光部の消費電力や発熱量に基づいて１組としてもよい。この場合、より発熱しやすい（発熱量の多い）組みを本実施例の配置構成とすることで効率的に放熱することが可能となる。
【００４１】
以上、実施例１で示した配置構成を取ることによって、発光部間の距離を確保でき、放熱性の向上を可能とする。
【００４２】
（実施例２）
以下、図６を参照して、本発明の第２の実施例による、同時に点灯する発光部が３つ以上あった場合の発光部の配置構成について説明する。なお、実施例１と同様の構成に関してはその説明を省略する。
【００４３】
本実施例においては、発光部１０５、１０６、１０７が同時に点灯する発光部で、発光部１０８と１０９はそれぞれ個別に点灯するものとする。本実施例の撮像装置１０００は、発光部の構成以外は、実施例１に示す撮像装置１０００と同様の構成である。
【００４４】
同時に点灯する３つの発光部１０５、１０６、１０７はレンズ部１２０の光軸中心を中心に、回転対称となる位置に略等間隔に配置される。同時に点灯する発光部が４つ、５つと増えていった場合も、回転対称となる位置に等間隔に配置されることが望ましい。発光部１０８、１０９は発光部設置可能領域１０４の範囲内であればどこに設置されてもよい。なお、図６に示す配置関係は一例であり、前述した条件を満たしていれば、他の配置にすることも可能である。
【００４５】
図７は本実施例において、発光部の照射範囲とレンズ部１２０の画角範囲７００の位置関係を示した図である。本実施例において、発光部１０５乃至１０７の照射範囲は発光部１０８及び発光部１０９の照射範囲よりも狭い。
【００４６】
図７（ａ）はレンズ部１２０のズーム位置が望遠側になった場合の発光部１０５乃至１０７の照射範囲７０５乃至７０７とレンズ部１２０の画角範囲７００の位置関係を示している。発光部１０５乃至１０７の照射範囲７０５乃至７０７は、到達距離を優先しているために比較的狭い。そのために、複数の照射範囲を重ね合わせることによって、画角範囲７００全体を照射することが可能となる。一方で図７（ｂ）はレンズ部１２０のズーム位置が広角側になった場合の発光部１０８又は１０９の照射範囲７０８とレンズ部１２０の画角範囲７００の位置関係を示している。発光部１０８又は１０９の照射範囲７０８は広いために、単一の照射範囲によって、画角範囲７００を照射することが可能となる。
【００４７】
このような場合においても、本実施例の配置構成のように発光部設置可能領域１０４の範囲内でレンズ部１２０を回転対称となる位置に略等間隔に配置することで、レンズ部１２０の画角範囲と複数の発光部の照射範囲とをよく一致させることができる。また、複数の発光部を配置する場合に、レンズ部１２０を回転対象となる位置に略等間隔で配置する場合、照射範囲の狭い発光部を優先して配置することが望ましい。
【００４８】
なお、発光シーケンスについては、実施例１に示す撮像装置１０００と同様であるためその説明を省略する。ただし、本実施例におけるステップＳ２２０での発光部の選択肢は、発光部１０５、１０６、１０７の組み合わせか、発光部１０８か、発光部１０９のいずれかである。
【００４９】
以上、実施例２で示したように、発光部の配置方法、発光シーケンスを変更することによって、同時に点灯する発光部が３つ以上になっても、同時に点灯する発光部が２つの場合と同じ効果を得ることができる。
【００５０】
（実施例３）
以下、図８を参照して、本発明の第３の実施例による、発光部設置領域１１４を分割した場合の発光部の配置構成について説明する。なお、実施例１と同様の構成に関してはその説明を省略する。
【００５１】
本実施例においては、発光部１１０、１１１が同時に点灯する発光部で、発光部１１２と１１３はそれぞれ個別に点灯するものとする。また、発光設置可能領域は発光設置可能領域１１４と１１５の２つを設ける。撮像装置３は、以上の２点の構成以外は、実施例１に示す撮像装置１０００と同様の構成である。
【００５２】
発光部設置可能領域１１３、１１４は、実施例１の発光部設置可能領域１０４を２つに分割したものである。また、発光部設置可能領域１１３、１１４は、例えばＰＣＢ（Ｐｒｉｎｔｅｄ  Ｃｉｒｃｕｉｔ  Ｂｏａｒｄ）やＦＰＣ（Ｆｌｅｘｉｂｌｅ  Ｐｒｉｎｔｅｄ  Ｃｉｒｃｕｉｔｓ）によって構成されている。ただし、本実施例における発光部設置可能領域の分割とは、２つ以上のＰＣＢやＦＰＣに分け、熱的に分離することを目的に行われるものである。
【００５３】
次に、分割した発光部設置可能領域１１４、１１５に対して、発光部１１０、１１１、１１２、１１３をどのように配置するかについて述べる。発光部１１０、１１１は、前述したように同時に点灯する発光部である。そのため、発光部設置可能領域１１４と１１５に分け、かつ、レンズ部１２０を挟んで対角に配置する。発光部１１２、１１３については、それぞれ個別に点灯するため、図８に示すような位置に配置する。ただし、発光部設置可能領域１１４と１１５のどちらに配置してもよい。これによって、同時に点灯する発光部が、熱的に分離された配置構成になる。
【００５４】
また、撮像装置３において、発光部１１０、１１１、１１２、１１３以外にも熱源になり得る構成要素、例えば電源部１４０は、発光部設置可能領域１１４、１１５のどちらとも分離して配置する。さらに、実施例１の発光部設置可能領域１０４に各発光部から発生する熱を放熱するための放熱部材（例えばヒートシンク、放熱経路、ファンによる冷却風路等）の放熱部が設置されていた場合、それらも含めて領域毎に分割し、それぞれの発光部設置可能領域に設置する。
【００５５】
発光シーケンスについては、実施例１に示す撮像装置１０００と同様である。ただし、本実施例におけるＳ２２０での発光部の選択肢は、発光部１１０、１１１の組み合わせか、発光部１１２か、発光部１１３のいずれかである。
【００５６】
以上、実施例３で示したような配置構成を取ることによって、効果的に放熱性を高めることができる。なお、本実施例において発光部設置可能領域を２つに分割した例を示したが、２以上の領域に分割してもよい。また、各分割領域に対応するように電源部１４０も分割するようにしてもよい。電源部１４０を分割することで、電源部からの発熱も分散されるため、効率的に放熱を行うことが可能となる。
【００５７】
以上、実施例１、２、３を用いて本発明の好ましい実施形態について説明したが、本発明はこれらの実施形態に限定されず、その要旨の範囲内で種々の変形及び変更が可能である。
【符号の説明】
【００５８】
１２０  レンズ部
１３０  撮像部
１４０  電源部
１５０  画像処理部
１６０  制御演算部
１７０  Ｉ／Ｆ
１０００  撮像装置
２０００  クライアント装置
３０００  ネットワーク
【図１】
0006512979.tif 000002
【図２】
0006512979.tif 000003
【図３】
0006512979.tif 000004
【図４】
0006512979.tif 000005
【図５】
0006512979.tif 000006
【図６】
0006512979.tif 000007
【図７】
0006512979.tif 000008
【図８】
0006512979.tif 000009